(57)【要約】      （修正有）【課題】上階を備えている階の天井を懐の小さな天井として構成する。【解決手段】構造材１０に対する取付け板部３１と、取付け板部３１から前方に突き出されていると共に下部側の取付け板部３１側が欠切部３４とされている縦板部３２と、縦板部３２の下端部から延設されている横板部３３とを一体に備えた接合金物３０を用いて横架材２０を構造材１０に接合する接合構造であって、構造材１０に取付けられた接合金物３０の横板部３３に乗せかけられて構造材１０に接合される横架材２０の接合面下部の幅側にわたって欠切部３４と共に線や管５１の通路５０を構成する欠切部２２が備えられている。【選択図】図４
2005240502.tif 000002
【特許請求の範囲】
【請求項１】
構造材に対する取付け板部と、この取付け板部から前方に突き出されていると共に下部側の該取付け板部側が欠切部とされている縦板部と、この縦板部の下端部から延設されている横板部とを一体に備えた接合金物を用いて横架材を構造材に接合する接合構造であって、
前記構造材に取付けられた前記接合金物の横板部に乗せかけられて該構造材に接合される横架材の接合面下部の幅側にわたって前記欠切部と共に線や管の通路を構成する欠切部が備えられていることを特徴とする横架材の接合構造。
【請求項２】
前記接合金物が、並び設けられた一対の縦向きの取付け板部と、この対をなす取付け板部における外側にある縦向きの縁部から前方に突き出されていると共に下部側の該取付け板部側が欠切部とされている縦板部と、この縦板部の下端部間に備えられている横板部とを一体に備えており、
前記横架材を前記縦板部間に納め入れるように前記横板部に乗せかけて前記構造材に接合するようにしてあることを特徴とする請求項１に記載の横架材の接合構造。
【請求項３】
前記接合金物が、並び設けられた一対の縦向きの取付け板部と、この対をなす取付け板部における外側にある縦向きの縁部から前方に突き出されていると共に下部側の該取付け板部側が欠切部とされている縦板部と、この縦板部の各下端部と前記取付け板部の下端部とにわたって備えられている横板部とを一体に備えており、
前記横架材を前記縦板部間に納め入れるように前記横板部に乗せかけて前記構造材に接合するようにしてあることを特徴とする請求項１に記載の横架材の接合構造。
【請求項４】
前記接合金物が、一対の取付け板部と、この取付け板部における互いに向き合った縁部から前方に突き出されていると共に下部側の該取付け板部側が欠切部とされている縦板部と、この縦板部の下端部間に備えられている横板部とを一体に備えており、
前記横架材を前記縦板部間に納め入れるように前記横板部に乗せかけて前記構造材に接合するようにしてあることを特徴とする請求項１に記載の横架材の接合構造。
【請求項５】
前記接合金物が、取付け板部と、この取付け板部から前方に突き出されていると共に下部側の該取付け板部側が欠切部とされている一枚の縦板部と、この縦板部の下端部から延設されている横板部とを一体に備えており、
スリットに該縦板部を受け入れるように前記横架材が前記横板部に乗せかけられて前記構造材に接合するようにしてあることを特徴とする請求項１に記載の横架材の接合構造。
【発明の詳細な説明】
【技術分野】
【０００１】
この発明は、建築物において上階を備えている階の天井懐を極力小さくしながら、当該天井内において線や管を効果的に配設し得るようにした横架材の接合構造に関する。
【背景技術】
【０００２】
梁などの横架材相互の接合や、横架材を柱に接合する場合、各接合部に仕口処理を施し、例えば、ほぞ差しなどによって接合していた。
【０００３】
しかしながら、近時、特許文献１に示されるように梁受け金物等の接合金物を用いることによって横架材相互や横架材と柱との接合をなすようにしている。
【０００４】
一方で、高さ制限が厳しい状況下にある建築物の建築に際しては、天井懐を小さくする必要があり、床組された上階の梁などの上に床パネルを直に張り込むと共に、当該梁などの下に殆ど隙間を残すことなく天井ボードを張り込むなどして懐の小さな天井を構成することが試みられている。
【０００５】
しかしながら、天井懐を小さくした場合、各種の線や管を当該天井内に配設し難く、当該配線や配管のために天井を全体的に下げたり、当該線や管の配設通路として天井の一部を下げるなどの処置を必要としており、居住性を損ねたり、施工コストを割高とするなどの不具合をもたらしていた。
【特許文献１】特開平４−３３０１３１号公報
【発明の開示】
【発明が解決しようとする課題】
【０００６】
この発明が解決しようとする主たる問題点は、上階を備えている階の天井を極力小さな天井懐として構成する際における線や管などの配設に伴う不具合を解消する点にある。
【課題を解決するための手段】
【０００７】
前記課題を解決するために、この発明に係る横架材の接合構造にあっては、構造材に対する取付け板部と、この取付け板部から前方に突き出されていると共に下部側の該取付け板部側が欠切部とされている縦板部と、この縦板部の下端部から延設されている横板部とを一体に備えた接合金物を用いて横架材を構造材に接合する接合構造であって、
前記構造材に取付けられた前記接合金物の横板部に乗せかけられて該構造材に接合される横架材の接合面下部の幅側にわたって前記欠切部と共に線や管の通路を構成する欠切部が備えられていることを特徴とするものとした。
【０００８】
このように構成される横架材の接合構造にあっては、横架材と当該横架材を受ける接合金物とに設けられた線や管の通路を用いることにより、各種の線や管を容易に配設可能とし、上階を備えている階における天井を懐の小さな天井として構成することができ、高さ制限の厳しい地域にあっても天井が高く居住性に優れた建築物を割安に構成することができる特長を有している。
【０００９】
また、前記構成に係る横架材の接合構造にあって、前記接合金物が、並び設けられた一対の縦向きの取付け板部と、この対をなす取付け板部における外側にある縦向きの縁部から前方に突き出されていると共に下部側の該取付け板部側が欠切部とされている縦板部と、この縦板部の下端部間に備えられている横板部とを一体に備えており、
前記横架材を前記縦板部間に納め入れるように前記横板部に乗せかけて前記構造材に接合するようにしてあることを特徴とする横架材の接合構造にあっては、構造材に対して横架材を確実に接合し得ると共に線や管を確実に配設することができる特長を有している。
【００１０】
また、前記構成に係る横架材の接合構造にあって、前記接合金物が、並び設けられた一対の縦向きの取付け板部と、この対をなす取付け板部における外側にある縦向きの縁部から前方に突き出されていると共に下部側の該取付け板部側が欠切部とされている縦板部と、この縦板部の各下端部と前記取付け板部の下端部とにわたって備えられている横板部とを一体に備えており、
前記横架材を前記縦板部間に納め入れるように前記横板部に乗せかけて前記構造材に接合するようにしてあることを特徴とする横架材の接合構造にあっては、構造材に対して横架材を確実に接合し得ると共に線や管を確実に配設することができる特長を有している。
【００１１】
また、前記構成に係る横架材の接合構造にあって、前記接合金物が、一対の取付け板部と、この取付け板部における互いに向き合った縁部から前方に突き出されていると共に下部側の該取付け板部側が欠切部とされている縦板部と、この縦板部の下端部間に備えられている横板部とを一体に備えており、
前記横架材を前記縦板部間に納め入れるように前記横板部に乗せかけて前記構造材に接合するようにしてあることを特徴とする横架材の接合構造にあっては、構造材に対して横架材を確実に接合し得ると共に線や管を確実に配設することができる特長を有している。
【００１２】
また、前記構成に係る横架材の接合構造にあって、前記接合金物が、取付け板部と、この取付け板部から前方に突き出されていると共に下部側の該取付け板部側が欠切部とされている一枚の縦板部と、この縦板部の下端部から延設されている横板部とを一体に備えており、
スリットに該縦板部を受け入れるように前記横架材が前記横板部に乗せかけられて前記構造材に接合するようにしてあることを特徴とする横架材の接合構造にあっては、構造材に対して横架材を確実に接合し得ると共に線や管を確実に配設することができる特長を有している。
【発明の効果】
【００１３】
この発明にかかる横架材の接合構造は、懐を小さくした天井において線や管を効果的に配設可能とし、上階を備えている階の天井を懐の小さな天井として構成し、高さ制限のある地域において居住性の良好な建築物を割安に提供し得る効果を有している。
【発明を実施するための最良の形態】
【００１４】
以下、この発明を実施するための最良の形態に係る横架材の接合構造について詳細に説明する。
【００１５】
図１〜図４は、この発明を実施するための第１の最良の形態に係る横架材の接合構造を、図５及び図６は、当該発明を実施するための第２の最良の形態に係る横架材の接合構造を、図７〜図１０は、当該発明を実施するための第３の最良の形態に係る横架材の接合構造を、図１１〜図１４は当該発明を実施するための第４の最良の形態にかかる横架材の接合構造を示している。
【００１６】
この発明を実施するための最良の形態に係る典型的な横架材の接合構造は、柱１０’や梁１０”などの各種構造材１０に対して梁２０’などの各種横架材２０を接合金物３０を用いて接合するものであって、この構造材１０に対する取付け板部３１と、この取付け板部３１から前方に突き出されていると共に下部側の該取付け板部３１側が欠切部３４とされている縦板部３２と、この縦板部３２の下端部から延設されている横板部３３とを一体に備えた接合金物３０を用いて横架材２０を構造材１０に接合する接合構造であり、前記構造材１０に適宜の手段、例えば、ボルト、ナット等の取付け具やラグスクリュー等の取付け具などで取付けられた前記接合金物３０の横板部３３に乗せかけられて該構造材１０に接合される横架材２０の接合面２１下部の幅側にわたって前記欠切部３４と共に線や管５１の通路５０を構成する欠切部２２が備えられている。
【００１７】
このように構成される横架材２０の接合構造にあっては、横架材２０と当該横架材２０を受ける接合金物３０とに設けられた線や管５１の通路５０を用いることにより、各種の線や管５１を容易に配設可能とし、上階を備えている階における天井を懐の小さな天井として構成することができ、高さ制限の厳しい地域にあっても天井が高く居住性に優れた建築物を割安に構成することができる。
【００１８】
また、前記構成に係る横架材の接合構造にあって、前記接合金物３０が、並び設けられた一対の縦向きの取付け板部３１と、この対をなす取付け板部３１における外側にある縦向きの縁部から前方に突き出されていると共に下部側の該取付け板部３１側が欠切部３４とされている縦板部３２と、この縦板部３２の下端部間に備えられている横板部３３とを一体に備えており、前記横架材２０を前記縦板部３２間に納め入れるように前記横板部３３に乗せかけて前記構造材１０に接合するようにしてある横架材２０の接合構造にあっては、構造材１０に対して横架材２０を確実に接合し得ると共に線や管５１を当該横架材２０と天井ボード６１間に確実に配設することができる。
【００１９】
また、前記構成に係る横架材の接合構造にあって、前記接合金物３０が、並び設けられた一対の縦向きの取付け板部３１と、この対をなす取付け板部３１における外側にある縦向きの縁部から前方に突き出されていると共に下部側の該取付け板部３１側が欠切部３４とされている縦板部３２と、この縦板部３２の各下端部と前記取付け板部３１の下端部とにわたって備えられている横板部３３とを一体に備えており、前記横架材２０を前記縦板部３２間に納め入れるように前記横板部３３に乗せかけて前記構造材１０に接合するようにしてある横架材の接合構造にあっては、構造材１０に対して横架材２０を確実に接合し得ると共に線や管５１を確実に配設することができる。
【００２０】
また、前記構成に係る横架材２０の接合構造にあって、前記接合金物３０が、一対の取付け板部３１と、この取付け板部３１における互いに向き合った縁部から前方に突き出されていると共に下部側の該取付け板部３１側が欠切部３４とされている縦板部３２と、この縦板部３２の下端部間に備えられている横板部３３とを一体に備えており、前記横架材２０を前記縦板部３２間に納め入れるように前記横板部３３に乗せかけて前記構造材１０に接合するようにしてある横架材２０の接合構造にあっては、構造材１０に対して横架材２０を確実に接合し得ると共に線や管５１を当該横架材２０と天井ボード６１間に確実に配設することができる。
【００２１】
また、前記構成に係る横架材２０の接合構造にあって、前記接合金物３０が、取付け板部３１と、この取付け板部３１から前方に突き出されていると共に下部側の該取付け板部３１側が欠切部３４とされている一枚の縦板部３２と、この縦板部３２の下端部から延設されている横板部３３とを一体に備えており、スリット２５に該縦板部３２を受け入れるように前記横架材２０が前記横板部３３に乗せかけられて前記構造材１０に接合するようにしてある横架材２０の接合構造にあっては、構造材１０に対して横架材２０を確実に接合し得ると共に線や管５１を当該横架材２０と前記横板部３３間に確実に配設することができる。
【００２２】
このように構成される横架材２０の接合構造にあっては、梁２０’などの横架材２０と梁１０”などの構造材１０相互の接合もとより、梁２０’などの横架材２０と柱１０’などの構造材１０の接合を前記接合金物３０を用いて容易になすことができる。
特に天井ボード６１と床パネル６０と間の寸法を小さくした所謂天井懐の小さな天井を、上階を備えた階の天井として構成することによって高さ制限の厳しい地域にあっても、２階建や、３階建などの建築を可能とすることができる。
【００２３】
また、このように構成される前記縦板部３２の欠切部３４と前記横架材２０の欠切部２２とで線や管５１の通路５０を構成することによって上階を備えた階における天井懐を大きくすることなく各種の線や管５１、例えば、冷房機における室内機と室外機とを連絡する冷媒管、ドレーン管、各種給水管、給湯管などの各種の線、管等の配設をなすことができる。
【００２４】
実施例１
まず、図１〜図４に示される当該発明を実施するための最良の形態に係る典型的な横架材２０の接合構造について説明する。
【００２５】
この実施例１に係る図１〜図４で示される当該横架材２０の接合構造は、構造材１０としての柱１０’に、接合金物３０Ａを用いて横架材２０としての梁２０’を接合するものである。
ここで用いられる接合金物３０Ａは、構造材１０に対する取付け板部３１と、この取付け板部３１から前方に突き出されていると共に下部側の該取付け板部３１側が欠切部３４とされている縦板部３２と、この縦板部３２の下端部から延設されている横板部３３とを一体に備えた構成としてあり、
前記構造材１０に取付けられた前記接合金物３０Ａの横板部３３に乗せかけられて該構造材１０に接合される横架材２０の接合面２１下部の幅側にわたって前記欠切部３４と共に線や管５１の通路５０を構成する欠切部２２が設けられている。
【００２６】
かかる接合金物３０Ａは、より具体的には、内鍔状に並び設けられた一対の縦向きの取付け板部３１ａ、典型的には、縦長の長方形状をなす一対の取付け板部３１ａと、この対をなす取付け板部３１ａにおける外側にある縦向きの縁部、すなわち、互いに向き合っていない側の縁部から該取付け板部３１ａに直交するように前方に突き出されていると共に下部側の該取付け板部３１ａ側が欠切部３４としてある縦板部３２’と、この縦板部３２’の下端部間にわたって該縦板部３２’に直交するように備えられている横板部３３’とを一体に備えた構成としてあり、
この接合金物３０Ａを用いて柱１０’に接合される梁２０’は、その接合面２１下部の幅側にわたって前記欠切部３４と共に線や管５１の通路５０を構成する欠切部２２を備えた構成としてある。
【００２７】
そして、前記柱１０’に取付けられた前記接合金物３０Ａにおける前記縦板部３２’間に前記梁２０’を納め入れるように該梁２０’を該接合金物３０Ａの横板部３３’に乗せかけて該梁２０’の接合面２１を前記取付け板部３１ａに接するように柱１０’に接合して下階を備えた階の床組をなす。
【００２８】
この図示例にあっては、典型的な構造材１０としての柱１０’に典型的な横架材２０としての梁２０’を前記接合金物３０Ａを用いて接合する態様を示しており、この接合金物３０Ａにおける前記の並び設けられる取付け板部３１ａが当該柱１０’の柱１０’面に都合よく収まる形状としてあり、梁２０’の接合対応位置の柱１０’面に該取付け板部３１ａを添装状態になすと共に、該取付け板部３１ａの孔３６から柱１０’に設けた孔１１に挿通したボルト４１に座金４３を嵌め付けてナット４２で締めつけることにより当該接合金物３０Ａを柱１０’に固着する。
【００２９】
かかる接合金物３０Ａを構成する縦板部３２’は、前記各取付け板部３１ａにおける外側にある縁、すなわち、互いに向き合っていない側の縁部から略直角に屈曲するように前方に突き出された平行で垂直状のものとしてあると共に、下部側の取付け板部３１ａ側が、おって説明する梁２０’の接合面２１下部の幅側にわたって備えられている欠切部２２と共に線や管５１の通路５０を構成する欠切部３４としてある。
【００３０】
すなわち、この接合金物３０Ａを構成する縦板部３２’は、前記各取付け板部３１ａから前方に突き出す突出板部３２’ａと、この突出板部３２’ａの前部側を下方に延設した延設板部３２’ｂとを備え、この延設板部３２’ｂの下端部間にわたって該縦板部３２’に直交するように横板部３３’が備えられており、この延設板部３２’ｂと前記取付け板部３１ａとの間が欠切部３４とされている。また、該縦板部３２’の先端上部側が、おって説明する羽子板ボルト４４をボルト４７等の取付け具を用いて梁２０’に止め付け得るようにハスに取り除かれてカット部３５としてある。
【００３１】
かかる接合金物３０Ａを構成する縦板部３２’は、この縦板部３２’間の寸法を、柱１０’に接合される前記梁２０’を密に納め入れ得る寸法としてあると共に、前記縦板部３２’の下端部間にわたって、この縦板部３２’から直角に屈曲された横板部３３’を備え、前記梁２０’を該縦板部３２’間に密に納め入れるようにその接合面２１を前記取付け板部３１ａに接して前記横板部３３’に乗せかけた際に、この梁２０’の天端が該縦板部３２’の上縁と面一となるように構成してある。
【００３２】
このように接合金物３０Ａを用いて柱１０’に組み付けられる梁２０’の接合面２１下部の幅側にわたって備えられる欠切部２２は、この梁２０’における接合面２１の下部側にあって、この接合面２１から当該梁２０’の長手方向に沿って延びる横向きの面２２ａと、この横向きの面２２ａから当該梁２０’の下面に至る縦向きの面２２ｂとによって当該梁２０’における接合面２１の下縁部を取り除いた状態で設けてあり、前記接合金物３０Ａにおける縦板部３２’の欠切部３４に連通して線や管５１の通路５０を構成し得るようにしてある。
また、この梁２０’の接合面２１が接合金物３０Ａにおける取付け板部３１ａに都合よく密着し得るように、その接合面２１に縦向きの溝２３を設けてあり、梁２０’を該接合金物３０Ａの取付け板部３１ａに密着して接合した際に、この接合金物３０Ａの取付け用ボルト４１のボルト頭が該溝２３に収まるようにしてある。
【００３３】
このように柱１０’に対して、ボルト４１、ナット４２、座金４３などの取付け具を用いて取付けられた接合金物３０Ａにおける各縦板部３２’間に納め入れるように梁２０’を該接合金物３０Ａの横板部３３’に乗せかけ、次いで、柱１０’に接合した梁１０”の孔１１に挿通した羽子板ボルト４４を梁２０’の孔２４に挿通されるボルト４７と座金４９及びナット４８で当該梁２０’に組み付けると共に当該羽子板ボルト４４に座金４６を嵌め付けてナット４５で梁１０”に締めつけ固定し、かつ、前記縦板部３２’に設けた孔３７と梁２０’に設けた孔２４に挿通したボルト４１にナット４２を螺着して、当該梁２０’を柱１０’に接合する。
【００３４】
このように床組のされた梁２０’の欠切部２２と接合金物３０Ａにおける前記欠切部３４で構成される通路５０を用いて冷暖房機の室内機と室外機との間に備えられる冷媒管やドレ−ン管、各種の給水管、給湯管、各種の配水管、電線等の配線、配管をなすと共に、梁２０’下に下地材６２を介して天井ボード６１を張り込み、また、梁２０’上に床パネル６０を張り込むことによって天井懐の小さな上階を備えた階の天井を構成する。
【００３５】
実施例２
次いで、図５及び図６に示される当該発明を実施するための最良の形態に係る他の典型的な横架材２０の接合構造について説明する。
【００３６】
この実施例２に係る図５及び図６で示される当該横架材２０の接合構造は、構造材１０としての柱１０’に、接合金物３０Ａ’を用いて横架材２０としての梁２０’を接合するものである。
【００３７】
この実施例２に係る横架材の接合構造では、前記接合金物３０Ａ’を、並び設けられた一対の縦向きの取付け板部３１ａと、この対をなす取付け板部３１ａにおける外側にある縦向きの縁部から前方に突き出されていると共に下部側の該取付け板部３１ａ側が欠切部３４とされている縦板部３２’と、この縦板部３２’の各下端部と前記取付け板部３１ａの下端部とにわたって備えられている横板部３３’とを一体に備えた構成のものとし、前記横架材２０を前記縦板部３２’間に納め入れるように前記横板部３３’に乗せかけて前記構造材１０に接合するようにしたものであって、前記縦板部３２’の下端部間にある板部３３’ａと該板部３３’ａから前記取付け板部３１ａの下端部に至る板部３３’ｂとが一連に連続された横板部３３’としてあり、この横板部３３’で前記縦板部３２’の各下端部と前記取付け板部３１ａの各下端部とが連続されるように構成してある以外の構成を前記実施例１における横架材の接合構造と同一の構成としてあり、同様にして接合される。
【００３８】
従って、前記実施例１における横架材の接合構造と同一又は実質的に同一の構成部分に同一の番号を付して、その説明を省略する。
【００３９】
実施例３
次いで、図７〜図１０に示される当該発明を実施するための最良の形態に係る他の典型的な横架材２０の接合構造について説明する。
【００４０】
この実施例３に係る図７〜図１０で示される当該横架材２０の接合構造は、構造材１０としての梁１０”に接合金物３０Ｂを用いて横架材２０としての梁２０’を接合するものである。
ここで用いられる接合金物３０Ｂは、構造材１０に対する取付け板部３１と、この取付け板部３１から前方に突き出されていると共に下部側の該取付け板部３１側が欠切部３４とされている縦板部３２と、この縦板部３２の下端部から延設されている横板部３３とを一体に備えた構成としてあり、
前記構造材１０に取付けられた前記接合金物３０Ｂの横板部３３に乗せかけられて該構造材１０に接合される横架材２０の接合面２１下部の幅側にわたって前記欠切部３４と共に線や管５１の通路５０を構成する欠切部２２が設けられている。
【００４１】
かかる接合金物３０Ｂは、より具体的には、一対の縦向きの取付け板部３１ｂ、典型的には、縦長の長方形状をなす一対の取付け板部３１ｂと、この対をなす取付け板部３１ｂにおける互いに向き合っている縦向きの縁部から該取付け板部３１ｂに直交するように前方に突き出されていると共に下部側の該取付け板部３１ｂ側が欠切部３４としてある縦板部３２’と、この縦板部３２’の下端部間にわたって該縦板部３２’に直交するように備えられている横板部３３’とを一体に備えた構成としてあり、
この接合金物３０Ｂを用いて梁１０”に接合される梁２０’は、その接合面２１下部の幅側にわたって前記欠切部３４と共に線や管５１の通路５０を構成する欠切部２２を備えた構成としてある。
【００４２】
この実施例３を構成する接合金物３０Ｂは、対をなす縦板部３２’に備えられている各取付け板部３１ｂを互いに向き合っている縦板部３２’の外側に向けて当該縦板部３２’からほぼ直角に屈曲するように設け、この取付け板部３１ｂにおいて当該接合金物３０Ｂを構造材１０としての梁１０”に取付けた以外の構成を前記実施例１における横架材の接合構造の構成と同一にしてある。
【００４３】
従って、当該実施例３に係る横架材の接合構造にあって、前記実施例１に係る横架材の接合構造と同一又は実質的に同一の構成部分に同一の番号を付して、その説明を省略する。
【００４４】
なお、この実施例３に係る横架材の接合構造にあっては、これを構成する接合金物３０Ｂにおける取付け板部３１ｂが梁２０’を受け入れる縦板部３２’の外側に向けて突き出すように備えられていることから、この接合金物３０Ｂで梁１０”に接合される梁２０’は、その接合面２１を梁１０”に直接突き当て状態で接合でき、当該梁２０’の接合面２１に前記実施例１に係る横架材の接合構造における梁２０’に設けられている縦溝２３を備えていない。
【００４５】
また、かかる取付け板部３１ｂが梁２０’を受け入れる縦板部３２’の外側に向けて突き出し状態に備えられていることから、当該取付け板部３１ｂにおいてボルト４１、ナット４２、座金４３等の取付け具を用いて当該接合金物３０Ｂが梁１０”に取付けてあると共に、この取付け板部３１ｂに備えられている孔３８から梁１０”の孔１１に羽子板ボルト４４を挿通し、これに座金４６を嵌め付けた状態でナット４５を螺着し得るようにしてある。
【００４６】
この実施例３における横架材の取付け構造にあっても、前記実施例１に係る横架材の取付け構造におけると同様にして線や管５１を、前記梁２０’及び縦板部３２’における欠切部２２、３４によって構成される通路５０を用いて配線したり、配管することができ、前記実施例１に係る横架材の接合構造におけると同様に床パネル６０を張り込み、天井ボード６１の張り込みをして、上階を備えた階に懐の小さな天井を構成する。
【００４７】
実施例４
次いで、図１１〜図１４に示される当該発明を実施するための他の最良の形態に係る典型的な横架材の接合構造について説明する。
【００４８】
この実施例４に係る図１１〜図１４で示される当該横架材２０の接合構造は、構造材１０としての梁１０”に、接合金物３０Ｃを用いて横架材２０としての梁２０’を接合するものである。
ここで用いられる接合金物３０Ｃは、構造材１０に対する取付け板部３１と、この取付け板部３１から前方に突き出されていると共に下部側の該取付け板部３１側が欠切部３４とされている縦板部３２と、この縦板部３２の下端部から延設されている横板部３３とを一体に備えた構成としてあり、
前記構造材１０に取付けられた前記接合金物３０Ｃの横板部３３に乗せかけられて該構造材１０に接合される横架材２０の接合面２１下部の幅側にわたって前記欠切部３４と共に線や管５１の通路５０を構成する欠切部２２が設けられている。
【００４９】
かかる接合金物３０Ｃは、より具体的には、取付け板部３１ｃと、この取付け板部３１ｃから前方に突き出されていると共に下部側の該取付け板部３１ｃ側が欠切部３４とされている一枚の縦板部３２”と、この縦板部３２”の下端部から延設されている横板部３３”とを一体に備えており、スリット２５に該縦板部３２”を受け入れるように前記横架材２０が前記横板部３３”に乗せかけられて前記構造材１０に接合するようにしてある。
【００５０】
かかる接合金物３０Ｃは、四角形状をなす縦向きの取付け板部３１ｃ、典型的には、縦長の長方形状をなす取付け板部３１ｃと、この取付け板部３１ｃにおけるほぼ中央部から該取付け板部３１ｃに直交するように前方に突き出されていると共に下部側の該取付け板部３１ｃ側が欠切部３４としてある縦板部３２”と、この縦板部３２”の下端部から該縦板部３２”に直交するように備えられている横板部３３”とを一体に備えた構成としてあり、この横板部３３”は、この縦板部３２”の板面に直交するように該縦板部３２”の下端部から両側方に延設されていると共に、前記取付け板部３１ｃの下端部に連続するように設けてある。また、この接合金物３０Ｃを用いて梁１０”に接合される梁２０’は、その接合面２１下部の幅側にわたって前記欠切部３４と共に線や管５１の通路５０を構成する欠切部２２を備えていると共に当該接合面２１から当該梁２０’における長手側に向けて前記縦板部３２”を受け入れるスリット２５を備えた構成としてある。
【００５１】
そして、前記梁１０”に取付けられた前記接合金物３０Ｃにおける前記縦板部３２”を前記スリット２５に受け入れるようにして梁２０’を横板部３３”に乗せかけて該梁２０’の接合面２１を前記取付け板部３１ｃに接するように梁１０”に接合して下階を備えた階の床組をなす。
【００５２】
この図示例にあっては、典型的な構造材１０としての梁１０”に典型的な横架材２０としての梁２０’を前記接合金物３０Ｃを用いて接合する態様を示しており、この接合金物３０Ｃにおける前記の取付け板部３１ｃが当該梁１０”面に都合よく収まる形状としてあり、梁２０’の接合対応位置の梁１０”面に該取付け板部３１ｃを添装状態になすと共に、該取付け板部３１ｃにおける縦板部３２”の両側方に設けられている孔３６から梁１０”に設けた孔１１に挿通したボルト４１に座金４３を嵌め付けてナット４２で締めつけることにより当該接合金物３０Ｃを梁１０”に固着する。
【００５３】
かかる接合金物３０Ｃを構成する縦板部３２”は、前記各取付け板部３１ｃにおけるほぼ中央部から該取付け板部３１ｃに直交するように前方に突き出された垂直状のものとしてあると共に、下部側の取付け板部３１ｃ側が、おって説明する梁２０’の接合面２１下部の幅側にわたって備えられている欠切部２２と共に線や管５１の通路５０を構成する欠切部３４としてある。
すなわち、この接合金物３０Ｃを構成する縦板部３２”は、前記取付け板部３１ｃから前方に突き出す突出板部３２”ａと、この突出板部３２”ａの前部側を下方に延設した延設板部３２”ｂとを備え、この延設板部３２”ｂの下端部から該縦板部３２”に直交するように横板部３３”が延設してあり、この延設板部３２”ｂと前記取付け板部３１ｃとの間が欠切部３４とされている。また、該縦板部３２”の先端上部側が、おって説明する羽子板ボルト４４をボルト４７等の取付け具を用いて梁２０’に止め付け得るようにハスに取り除かれてカット部３５としてある。
また、当該縦板部３２”は横板部３３”に乗せかけられた梁２０’のスリット２５に受け入れられた際に、この梁２０’の天端から突き出さない構成としてある。
【００５４】
かかる接合金物３０Ｃを構成する横板部３３”は、前記縦板部３２”の下端部、より具体的には延設板部３２”ｂの下端部から、当該縦板部３２”の両側方に延設された板部３３”ａと前記取付け板部３１ｃ側に向けて延設されて該取付け板部３１ｃの下端部に連続される板部３３”ｂとの一連に連続された一枚の四角形状の板部としてあり、縦板部３２”の板面に直交するように備えられている。そして、この横板部３３”は、前記縦板部３２”から両側方に延設された向きの板幅を前記縦板部３２”をスリット２５に受け入れるようにして当該横板部３３”に乗せかけられる梁２０’の下面の横幅とほぼ同一としてあり、梁１０”に接合された梁２０’からはみ出さないように構成してある。
なお、この図示例にあっては、この縦板部３２”から両側方に延設された向きの横板部３３”の板幅を前記取付け板部３１ｃの横幅と同一にしてあり、当該横板部３３”と取付け板部３１ｃとを長方形状をなす板を屈曲することによって構成することもできる。
【００５５】
このように接合金物３０Ｃを用いて梁１０”に組み付けられる梁２０’の接合面２１下部の幅側にわたって備えられる欠切部２２は、この梁２０’における接合面２１の下部側にあって、この接合面２１から当該梁２０’の長手方向に沿って延びる横向きの面２２ａと、この横向きの面２２ａから当該梁２０’の下面に至る縦向きの面２２ｂとによって当該梁２０’における接合面２１の下縁部を取り除いた状態で設けてあり、前記接合金物３０Ｃにおける縦板部３２”の欠切部３４に連通して線や管５１などの通路５０を構成し得るようにしてある。
また、この梁２０’の接合面２１が接合金物３０Ｃにおける取付け板部３１ｃに都合よく密着し得るように、その接合面２１に縦向きの溝２３を設けてあり、梁２０’を該接合金物３０Ｃの取付け板部３１ｃに密着して接合した際に、この接合金物３０Ｃの取付け用ボルト４１のボルト頭が該溝２３に収まるようにしてある。
【００５６】
このように梁１０”に対して、ボルト４１、ナット４２、座金４３などの取付け具を用いて取付けられた接合金物３０Ｃにおける縦板部３２”をスリット２５に受け入れるようにして梁２０’を該接合金物３０Ｃの横板部３３”に乗せかけ、次いで、梁１０”の孔１１に挿通した羽子板ボルト４４を、梁２０’の孔２４に挿通されるボルト４７と座金４９及びナット４８で当該梁２０’に取付けると共に、座金４６を嵌め付けた当該羽子板ボルト４４のナット４５を締めつけ、かつ、前記縦板部３２”に設けた孔３７と梁２０’に設けた孔２４に挿通したボルト４１にナット４２を螺着して、当該梁２０’を梁１０”に接合する。
【００５７】
このように床組のされた梁２０’の欠切部２２と接合金物３０Ｃにおける前記欠切部３４で構成される通路５０を用いて冷暖房機の室内機と室外機との間に備えられる冷媒管やドレ−ン管、各種の給水管、給湯管、各種の配水管、電線等の配線、配管をなすと共に、梁２０’下に下地材６２を介して天井ボード６１を張り込み、また、梁２０’上に床パネル６０を張り込むことによって天井懐の小さな上階を備えた階の天井を構成する。
【図面の簡単な説明】
【００５８】
【図１】横架材の接合構造を各部品を分離した状態で示す要部斜視図
【図２】同接合状態の要部を示す斜視図
【図３】同接合状態の要部の側面図
【図４】同接合状態の要部の断面図
【図５】横架材の他の接合構造を各部品を分離した状態で示す要部斜視図
【図６】同接合状態の要部の断面図
【図７】横架材の更に他の接合構造を各部品を分離した状態で示す要部斜視図
【図８】同接合状態の要部を示す斜視図
【図９】同接合状態の要部を側方から見た状態の断面図
【図１０】同接合状態の要部の断面図
【図１１】横架材の更に他の接合構造を各部品を分離した状態で示す要部斜視図
【図１２】同接合状態の要部を示す斜視図
【図１３】同接合状態の要部を側方から見た状態の断面図
【図１４】同接合状態の要部の断面図
【符号の説明】
【００５９】
１０  構造材
２０  横架材
２２  欠切部
２５  スリット
３０  接合金物
３１  取付け板部
３２  縦板部
３３  横板部
３４  欠切部
５０  通路
５１  線や管
【図１】
2005240502.tif 000003
【図２】
2005240502.tif 000004
【図３】
2005240502.tif 000005
【図４】
2005240502.tif 000006
【図５】
2005240502.tif 000007
【図６】
2005240502.tif 000008
【図７】
2005240502.tif 000009
【図８】
2005240502.tif 000010
【図９】
2005240502.tif 000011
【図１０】
2005240502.tif 000012
【図１１】
2005240502.tif 000013
【図１２】
2005240502.tif 000014
【図１３】
2005240502.tif 000015
【図１４】
2005240502.tif 000016